(57)【要約】【課題】外気温度及び水熱交換器に流入する給湯用水の入水温度に基づいて常に効率良く沸き上げ運転を行うことのできるヒートポンプ式給湯装置を提供する。【解決手段】高温の第１の外気温度に対応する第１の入水温度と、低温の第２の外気温度に対応する第２の入水温度と、第１及び第２の外気温度の間の中間温度に対応する第３の入水温度とを設定していて、入水温度が第１の入水温度、第２の入水温度または第３の入水温度以下のときは、沸き上げ温度に応じて予め設定された周波数で圧縮機１１を運転する第１の沸き上げ運転を行い、入水温度が第１の入水温度、第２の入水温度または第３の入水温度よりも高いときは、第１の沸き上げ運転よりも高い周波数で圧縮機１１を運転する第２の沸き上げ運転を行うようにしたので、気候の変化や季節によって外気温度が変動する場合でも、外気温度及び入水温度に基づいて常に効率良く沸き上げ運転を行うことができる。【選択図】図１
2010025494.tif 000002
【特許請求の範囲】
【請求項１】
圧縮機から吐出した冷媒を水熱交換器に流通した後、開度調整可能な膨張弁を介して蒸発器に流通し、圧縮機に吸入するヒートポンプ回路と、給湯用水をポンプによって水熱交換器に流通することによりヒートポンプ回路の冷媒によって給湯用水を加熱する給湯回路と、ヒートポンプ回路で加熱された給湯回路の給湯用水を貯溜する貯湯タンクと、水熱交換器に流入する給湯用水の温度を検出する入水温度センサとを備え、貯湯タンクに貯溜される給湯用水を予め設定された沸き上げ設定温度に加熱するようにしたヒートポンプ式給湯装置において、
外気温度が所定の第１の外気温度以上の場合に水熱交換器に流入する給湯用水の入水温度が所定の第１の入水温度以下のとき、または外気温度が第１の外気温度よりも低い所定の第２の外気温度以下の場合に水熱交換器に流入する給湯用水の入水温度が第１の入水温度よりも低い所定の第２の入水温度以下のとき、または外気温度が第１の外気温度よりも低く第２の外気温度よりも高い場合に水熱交換器に流入する給湯用水の入水温度が第１の入水温度から第２の入水温度まで徐々に低下する第３の入水温度以下のときは、沸き上げ温度に応じて予め設定された周波数で圧縮機を運転する第１の沸き上げ運転を行い、外気温度が第１の外気温度以上の場合に水熱交換器に流入する給湯用水の入水温度が第１の入水温度よりも高いとき、または外気温度が第２の外気温度以下の場合に水熱交換器に流入する給湯用水の入水温度が第２の入水温度よりも高いとき、または外気温度が第１の外気温度よりも低く第２の外気温度よりも高い場合に水熱交換器に流入する給湯用水の入水温度が第３の入水温度よりも高いときは、第１の沸き上げ運転よりも高い周波数で圧縮機を運転する第２の沸き上げ運転を行う制御手段を備えた
ことを特徴とするヒートポンプ式給湯装置。
【請求項２】
前記制御手段を、第２の沸き上げ運転を開始する際の給湯用水の入水温度と沸き上げ設定温度との差が大きい場合は小さい場合よりも第２の沸き上げ運転開始時における圧縮機の周波数を高くするように構成した
ことを特徴とする請求項１記載のヒートポンプ式給湯装置。
【請求項３】
前記制御手段を、第２の沸き上げ運転を開始した際の給湯用水の入水温度が所定温度以上高くなると、第２の沸き上げ運転開始時よりも圧縮機の周波数を高くするように構成した
ことを特徴とする請求項１または２記載のヒートポンプ式給湯装置。
【請求項４】
前記制御手段を、給湯用水の入水温度が沸き上げ設定温度よりも所定温度だけ低い温度まで上昇すると、その温度まで上昇する前よりも圧縮機の周波数を低くするように構成した
ことを特徴とする請求項１、２または３記載のヒートポンプ式給湯装置。
【請求項５】
前記制御手段を、給湯用水の入水温度が沸き上げ設定温度よりも所定温度だけ低い温度まで上昇すると、その温度まで上昇する前よりも膨張弁の開度を大きくするように構成した
ことを特徴とする請求項１、２または３記載のヒートポンプ式給湯装置。
【請求項６】
前記制御手段を、第２の沸き上げ運転を開始した後は、外気温度及び給湯用水の入水温度が第１の沸き上げ運転を行う条件を満たした場合でも、沸き上げ完了まで第２の沸き上げ運転を継続するように構成した
ことを特徴とする請求項１、２、３、４または５記載のヒートポンプ式給湯装置。
【請求項７】
前記制御手段を、第１の沸き上げ運転中に蒸発器が所定の温度以下になったときは蒸発器の除霜運転を行い、第２の沸き上げ運転中に蒸発器が所定の温度以下になった場合には、除霜運転を行うことなく第２の沸き上げ運転を継続するように構成した
ことを特徴とする請求項１、２、３、４、５または６記載のヒートポンプ式給湯装置。
【発明の詳細な説明】
【技術分野】
【０００１】
本発明は、ヒートポンプ回路によって給湯用水を加熱するヒートポンプ式給湯装置に関するものである。
【背景技術】
【０００２】
従来、この種のヒートポンプ式給湯装置としては、圧縮機から吐出した冷媒を水熱交換器（ガスクーラ）に流通した後、開度調整可能な膨張弁を介して蒸発器に流通し、圧縮機に吸入するヒートポンプ回路と、給湯用水をポンプによって水熱交換器に流通することによりヒートポンプ回路の冷媒によって給湯用水を加熱する給湯回路と、ヒートポンプ回路で加熱された給湯回路の給湯用水を貯溜する貯湯タンクとを備え、過去の使用状況等に基づいて設定した温度の湯を所定の時間帯（例えば、深夜の電気料金割引時間帯）に加熱する沸き上げ運転を行うようにしたものが知られている（例えば、特許文献１参照。）。
【０００３】
この給湯装置では、沸き上げ運転を開始する際、外気温度及び水熱交換器に流入する給湯用水の入水温度に基づいて圧縮機の周波数を設定しているが、沸き上げ運転開始時の給湯用水の入水温度が高い場合は低い場合よりも圧縮機の周波数を高く設定して冷媒循環量を多くすることにより、沸き上げ運転時の加熱効率を向上させるようにしている。
【特許文献１】特開２００７−４０５５５号公報
【発明の開示】
【発明が解決しようとする課題】
【０００４】
しかしながら、前記給湯装置においては、水熱交換器に流入する給湯用水の入水温度が沸き上げ運転の開始時から上昇していくため、沸き上げ運転の開始時に設定した周波数のままで沸き上げ完了まで圧縮機を運転するのは必ずしも効率が良いとはいえない。また、沸き上げ運転中に圧縮機の周波数を制御することも可能であるが、沸き上げ運転時の加熱効率は外気温度にも依存し、しかも外気温度は気候の変化や季節によって変動するため、入水温度のみに基づいて圧縮機の周波数を制御しても常に効率良く沸き上げ運転を行うことができるとは限らなかった。
【０００５】
本発明は前記問題点に鑑みてなされたものであり、その目的とするところは、外気温度及び水熱交換器に流入する給湯用水の入水温度に基づいて常に効率良く沸き上げ運転を行うことのできるヒートポンプ式給湯装置を提供することにある。
【課題を解決するための手段】
【０００６】
本発明は前記目的を達成するために、圧縮機から吐出した冷媒を水熱交換器に流通した後、開度調整可能な膨張弁を介して蒸発器に流通し、圧縮機に吸入するヒートポンプ回路と、給湯用水をポンプによって水熱交換器に流通することによりヒートポンプ回路の冷媒によって給湯用水を加熱する給湯回路と、ヒートポンプ回路で加熱された給湯回路の給湯用水を貯溜する貯湯タンクと、水熱交換器に流入する給湯用水の温度を検出する入水温度センサとを備え、貯湯タンクに貯溜される給湯用水を予め設定された沸き上げ温度に加熱するようにしたヒートポンプ式給湯装置において、外気温度が所定の第１の外気温度以上の場合に水熱交換器に流入する給湯用水の入水温度が所定の第１の入水温度以下のとき、または外気温度が第１の外気温度よりも低い所定の第２の外気温度以下の場合に水熱交換器に流入する給湯用水の入水温度が第１の入水温度よりも低い所定の第２の入水温度以下のとき、または外気温度が第１の外気温度よりも低く第２の外気温度よりも高い場合に水熱交換器に流入する給湯用水の入水温度が第１の入水温度から第２の入水温度まで徐々に低下する第３の入水温度以下のときは、沸き上げ温度に応じて予め設定された周波数で圧縮機を運転する第１の沸き上げ運転を行い、外気温度が第１の外気温度以上の場合に水熱交換器に流入する給湯用水の入水温度が第１の入水温度よりも高いとき、または外気温度が第２の外気温度以下の場合に水熱交換器に流入する給湯用水の入水温度が第２の入水温度よりも高いとき、または外気温度が第１の外気温度よりも低く第２の外気温度よりも高い場合に水熱交換器に流入する給湯用水の入水温度が第３の入水温度よりも高いときは、第１の沸き上げ運転よりも高い周波数で圧縮機を運転する第２の沸き上げ運転を行う制御手段を備えている。
【０００７】
これにより、入水温度が第１の入水温度、第２の入水温度または第３の入水温度以下のときは、予め設定された周波数で圧縮機を運転する第１の沸き上げ運転が行われ、入水温度が第１の入水温度、第２の入水温度または第３の入水温度よりも高いときは、第１の沸き上げ運転よりも高い周波数で圧縮機を運転する第２の沸き上げ運転が行われることから、気候の変化や季節によって外気温度が変動する場合でも、外気温度及び入水温度に基づいて常に効率良く沸き上げ運転を行うことができる。
【発明の効果】
【０００８】
本発明によれば、気候の変化や季節によって外気温度が変動する場合でも、外気温度及び入水温度に基づいて常に効率良く沸き上げ運転を行うことができるので、年間を通じたＣＯＰの向上に極めて効果的である。
【発明を実施するための最良の形態】
【０００９】
図１乃至図６は本発明の一実施形態を示すもので、図１は給湯装置の概略構成図、図２は制御系を示すブロック図、図３は外気温度及び入水温度に対する第１及び第２の沸き上げ運転の関係を示す図、図４及び図５は制御部の動作を示すフローチャート、図６は圧縮機の周波数と入水温度との関係を示す図である。
【００１０】
同図に示す給湯装置は、冷媒を流通するヒートポンプ回路１０と、給湯用水を流通する第１給湯回路２０と、給湯用水を流通する第２給湯回路３０と、浴槽用水を流通する浴槽用回路４０と、ヒートポンプ回路１０の冷媒と第１給湯回路２０の給湯用水とを熱交換する第１水熱交換器５０と、第２給湯回路３０の給湯用水と浴槽用回路４０の浴槽用水とを熱交換する第２水熱交換器６０とを備えている。
【００１１】
ヒートポンプ回路１０は、圧縮機１１、膨張弁１２、蒸発器１３及び第１水熱交換器５０を接続してなり、図中実線矢印で示すように圧縮機１１、第１水熱交換器５０、膨張弁１２、蒸発器１３、圧縮機１１の順に冷媒を流通させるようになっている。尚、このヒートポンプ回路１０で使用される冷媒は、例えば二酸化炭素等の自然系冷媒である。膨張弁１２は、例えば周知の電子膨張弁からなり、開度を任意に調整可能になっている。蒸発器１３は送風機１３ａを有し、送風機１３ａによって外気と熱交換するようになっている。また、蒸発器１３には蒸発器１３の温度を検出する蒸発器温度センサ１４が設けられ、蒸発器１３の近傍には外気温度を検出する外気温センサ１５が設けられている。
【００１２】
第１給湯回路２０は、貯湯タンク２１、第１ポンプ２２及び第１水熱交換器５０を接続してなり、図中白抜き矢印で示すように貯湯タンク２１、第１ポンプ２２、第１水熱交換器５０、貯湯タンク２１の順に給湯用水を流通させるようになっている。貯湯タンク２１には、給水管２３及び第２給湯回路３０が接続され、給水管２３から供給された給湯用水は貯湯タンク２１を介して第１給湯回路２０を流通するようになっている。貯湯タンク２１と浴槽Ａとは、第２ポンプ２４が設けられた流路２５を介して接続され、図中一点鎖線矢印で示すように第２ポンプ２４によって貯湯タンク２１内の給湯用水が浴槽Ａに供給されるようになっている。また、第１給湯回路２０には、第１水熱交換器５０の流入側の温度を検出する入水温度センサ２６が設けられている。
【００１３】
第２給湯回路３０は、貯湯タンク２１、第３ポンプ３１及び第２水熱交換器６０を接続してなり、図中破線矢印で示すように貯湯タンク２１、第２水熱交換器６０、第３ポンプ３１、貯湯タンク２１の順に給湯用水を流通させるようになっている。
【００１４】
浴槽用回路４０は、浴槽Ａ、第４ポンプ４１及び第２水熱交換器６０を接続してなり、図中黒塗り矢印で示すように浴槽Ａ、第４ポンプ４１、第２水熱交換器６０、浴槽Ａの順に浴槽用水を流通させるようになっている。
【００１５】
第１水熱交換器５０は、ヒートポンプ回路１０及び第１給湯回路２０に接続され、ヒートポンプ回路１０を流通する冷媒と第１給湯回路２０を流通する給湯用水とを熱交換させるようになっている。第１水熱交換器５０は、図示していないが、環状に巻かれたチューブ状の管路内にヒートポンプ回路１０の高温側回路１０ａを配置してなる周知の構造からなり、高温側回路１０ａの冷媒との熱交換によって第１給湯回路２０の給湯用水を加熱するようになっている。
【００１６】
第２水熱交換器６０は、第２給湯回路３０及び浴槽用回路４０に接続され、第２給湯回路３０の給湯用水と浴槽用回路４０の浴槽用水とを熱交換させるようになっている。
【００１７】
前記給湯装置は、ヒートポンプ回路１０及び第１水熱交換器５０が配置された加熱ユニット７０と、貯湯タンク２１、第１ポンプ２２、第２ポンプ２４、第２給湯回路３０、第４ポンプ４１及び第２水熱交換器６０が配置されたタンクユニット８０とを備え、加熱ユニット７０とタンクユニット８０とは第１給湯回路２０を介して接続されている。
【００１８】
また、前記給湯装置は、マイクロコンピュータからなる制御部９０を備え、制御部９０には、圧縮機１１、膨張弁１２、蒸発器温度センサ１４、外気温センサ１５及び入水温度センサ２６が接続されている。この制御部９０では、外気温センサ１５の検出温度Ｔo と、入水温度センサ２６の検出温度Ｔw に基づいて、沸き上げ設定温度Ｔweに応じて予め設定された周波数で圧縮機１１を運転する第１の沸き上げ運転と、第１の沸き上げ運転よりも高い周波数で圧縮機１１を運転する第２の沸き上げ運転の何れかを行うようになっている。また、制御部９０では、蒸発器温度センサ１４によって検出される蒸発器１３の温度に基づいて蒸発器１３が着霜しているか否かを判定し、着霜していると判定した場合は、第１の沸き上げ運転を除霜運転に切り換えるようになっている。
【００１９】
次に、前記制御部９０の動作について、図４のフローチャートを参照して説明する。まず、沸き上げ運転を行う前に、過去の使用状況等に基づいて設定した沸き上げ設定温度Ｔweと、外気温センサ１５の検出温度Ｔo と、入水温度センサ２６の検出温度Ｔw に基づいて、所定時刻（例えば午前７時）に沸き上げ完了するようにヒートポンプ回路１０の圧縮機１１の周波数Ｆ1 を設定する（Ｓ１）。次に、外気温度Ｔo と入水温度Ｔw に基づいて、第１及び第２の沸き上げ運転の何れを行うかを判定する（Ｓ２）。
【００２０】
ここで、第１及び第２の沸き上げ運転の何れを行うかの判定について、図５のフローチャートを参照して説明する。まず、外気温度Ｔo が所定の第１の外気温度Ｔo1以上の場合に入水温度Ｔw が所定の第１の入水温度Ｔw1以下のとき（Ｓ２０，Ｓ２１）、または外気温度Ｔo が第１の外気温度Ｔo1よりも低い所定の第２の外気温度Ｔo2以下の場合に入水温度Ｔw が第１の入水温度Ｔw1よりも低い所定の第２の入水温度Ｔw2以下のとき（Ｓ２２，Ｓ２３）、または外気温度Ｔo が第１の外気温度Ｔo1よりも低く第２の外気温度Ｔo2よりも高い場合に入水温度Ｔw が第１の入水温度Ｔw1から第２の入水温度Ｔw2まで徐々に低下する第３の入水温度Ｔw3以下のときは（Ｓ２０，Ｓ２２，Ｓ２４）、第１の沸き上げ運転を行う（Ｓ２５）。また、外気温度Ｔo が第１の外気温度Ｔo1以上の場合に入水温度Ｔw が第１の入水温度Ｔw1よりも高いとき（Ｓ２０，Ｓ２１）、または外気温度Ｔo が第２の外気温度Ｔo2以下の場合に入水温度Ｔw が第２の入水温度Ｔw2よりも高いとき（Ｓ２２，Ｓ２３）、または外気温度Ｔo が第１の外気温度Ｔo1よりも低く第２の外気温度Ｔo2よりも高い場合に入水温度Ｔw が第３の入水温度Ｔw3よりも高いときは（Ｓ２０，Ｓ２２，Ｓ２４）、第２の沸き上げ運転を行う（Ｓ２６）。この場合、第３の入水温度Ｔw3は外気温度Ｔo に比例し、以下の式(1) により求められる。
【００２１】
Ｔw3＝｛（Ｔw1−Ｔw2）／（Ｔo1−Ｔo2）｝×（Ｔo1−Ｔo ）＋Ｔw2  …(1)
以上より、第１の沸き上げ運転を行うと判定された場合は（Ｓ２）、圧縮機１１の周波数ＦをＦ1 に設定し（Ｓ３）、第１の沸き上げ運転を開始する（Ｓ４）。この後、外気温度Ｔo と入水温度Ｔw が第２の沸き上げ運転を行う条件を満たすか否かを判定する（Ｓ５）。ここで、第２の沸き上げ運転を行う前に、蒸発器温度センサ１４の検出温度Ｔe が所定温度Ｔe1以下になった場合は（Ｓ６）、第１の沸き上げ運転を除霜運転に切り換えて除霜運転を開始し（Ｓ７）、除霜運転が終了すると（Ｓ８）、除霜運転を第１の沸き上げ運転に切り換えて前記ステップＳ５に戻る。そして、第１の沸き上げ運転により入水温度Ｔw が上昇し、第２の沸き上げ運転を行う条件を満たしたと判定された場合（Ｓ５）、または前記ステップＳ２において第２の沸き上げ運転を行うと判定された場合には、圧縮機１１の周波数ＦをＦ1 に所定の第１の補正周波数α1を加えた周波数に設定し（Ｓ９）、第２の沸き上げ運転を開始する（Ｓ１０）。その際、第２の沸き上げ運転開始時の入水温度Ｔw と沸き上げ設定温度Ｔweとの差が大きい場合は小さい場合よりも第１の補正周波数α1を高くする。また、第２の沸き上げ運転開始時の入水温度Ｔw を沸き上げ開始温度Ｔwsとして記憶する（Ｓ１１）。この後、入水温度Ｔw が沸き上げ開始温度Ｔwsに所定温度βを加えた温度に達した場合は（Ｓ１２）、圧縮機１１の周波数Ｆを所定の第２の補正周波数α2を加えた周波数に設定する（Ｓ１３）。そして、入水温度Ｔw が沸き上げ設定温度Ｔweから所定温度γを減じた温度に達した場合は（Ｓ１４）、圧縮機１１の周波数Ｆを所定の第３の補正周波数α3を減じた周波数に設定し（Ｓ１５）、入水温度Ｔw が沸き上げ設定温度Ｔweに達すると（Ｓ１６）、第２の沸き上げ運転を終了する。尚、前記第２の沸き上げ運転においては、蒸発器温度Ｔe が所定温度Ｔe1以下になった場合でも除霜運転は行わず、第１の沸き上げ運転を行う条件を満たした場合でも再び第１の沸き上げ運転を行うことなく第２の沸き上げ運転を継続する。
【００２２】
制御部９０の前記動作を例示すると、例えば図３に示すように沸き上げ開始Ｓ1 おける外気温度Ｔo が第１の外気温度Ｔo1以上で、入水温度Ｔw が第１の入水温度Ｔw1以下の場合は、沸き上げ開始Ｓ1 から入水温度Ｔw が第１の入水温度Ｔw1になるまで第１の沸き上げ運転を行った後、第１の入水温度Ｔw1から沸き上げ終了Ｅ1 まで第２の沸き上げ運転を行う。また、沸き上げ開始Ｓ2 おける外気温度Ｔo が第２の外気温度Ｔo2以下で、入水温度Ｔw が第２の入水温度Ｔw2よりも高い場合は、沸き上げ開始Ｓ2 から沸き上げ終了Ｅ2 まで第１の沸き上げ運転を行う。
【００２３】
このように、本実施形態によれば、高温の第１の外気温度Ｔo1に対応する第１の入水温度Ｔw1と、低温の第２の外気温度Ｔo2に対応する第２の入水温度Ｔw2と、第１及び第２の外気温度Ｔo1，Ｔo2の間の中間温度に対応する第３の入水温度Ｔw3とを設定していて、入水温度Ｔw が第１の入水温度Ｔw1、第２の入水温度Ｔw2または第３の入水温度Ｔw3以下のときは、沸き上げ温度Ｔweに応じて予め設定された周波数Ｆで圧縮機１１を運転する第１の沸き上げ運転を行い、入水温度Ｔw が第１の入水温度Ｔw1、第２の入水温度Ｔw2または第３の入水温度Ｔw3よりも高いときは、第１の沸き上げ運転よりも第１の補正周波数α1だけ高い周波数Ｆで圧縮機１１を運転する第２の沸き上げ運転を行うようにしたので、気候の変化や季節によって外気温度が変動する場合でも、外気温度及び入水温度に基づいて常に効率良く沸き上げ運転を行うことができ、年間を通じたＣＯＰの向上に極めて効果的である。
【００２４】
また、第２の沸き上げ運転を開始する際の入水温度Ｔw と沸き上げ設定温度Ｔweとの差が大きい場合は小さい場合よりも第２の沸き上げ運転開始時における第１の補正周波数α1を高くするようにしたので、第２の沸き上げ運転開始時の入水温度Ｔw が低い場合でも、沸き上げを完了するまでの加熱能力を十分に確保することができる。
【００２５】
更に、第２の沸き上げ運転を開始した際の入水温度Ｔw が所定温度β以上高くなると、第２の沸き上げ運転開始時よりも圧縮機１１の周波数Ｆを第２の補正周波数α2だけ高くするようにしたので、入水温度Ｔw の上昇に伴って圧縮機１１の周波数Ｆを更に高くすることができ、入水温度上昇時の加熱効率をより向上させることができる。
【００２６】
また、入水温度Ｔw が沸き上げ設定温度Ｔweよりも所定温度γだけ低い温度まで上昇すると、その温度まで上昇する前よりも圧縮機１１の周波数Ｆを第３の補正周波数α3だけ低くするようにしたので、沸き上げ完了直前の加熱能力を低下させることができ、第２の沸き上げ運転終了後の余熱の無駄を少なくすることができる。
【００２７】
更に、第２の沸き上げ運転を開始した後は、外気温度Ｔo 及び入水温度Ｔw が第１の沸き上げ運転を行う条件を満たした場合でも、沸き上げ完了まで第２の沸き上げ運転を継続するようにしたので、例えば急激な外気温度の低下等によって第１の沸き上げ運転の判定条件を満たした場合でも、第２の沸き上げ運転から第１の沸き上げ運転に戻ることがなく、加熱能力の低下を確実に防止することができる。
【００２８】
また、第１の沸き上げ運転中に蒸発器１３が所定の温度Ｔe1以下になったときは蒸発器１３の除霜運転を行い、第２の沸き上げ運転中に蒸発器１３が前記温度Ｔe1以下になった場合には、除霜運転を行うことなく第２の沸き上げ運転を継続するようにしたので、沸き上げ完了まで残り時間の少ない第２の沸き上げ運転が除霜運転によって中断されることがなく、沸き上げを完了するまでの加熱能力が除霜運転によって不足することがないという利点がある。
【００２９】
尚、前記実施形態では、入水温度Ｔw が沸き上げ設定温度Ｔweよりも所定温度γだけ低い温度まで上昇すると、その温度まで上昇する前よりも圧縮機１１の周波数Ｆを第３の補正周波数α3だけ低くするようにしたものを示したが、これに代えて、その温度まで上昇する前よりも膨張弁１２の開度を大きくするようにした場合でも、前記実施形態と同等の効果を得ることができる。
【図面の簡単な説明】
【００３０】
【図１】本発明の一実施形態を示す給湯装置の概略構成図
【図２】制御系を示すブロック図
【図３】外気温度及び入水温度に対する第１及び第２の沸き上げ運転の関係を示す図
【図４】制御部の動作を示すフローチャート
【図５】制御部の動作を示すフローチャート
【図６】圧縮機の周波数と入水温度との関係を示す図
【符号の説明】
【００３１】
１０…ヒートポンプ回路、１１…圧縮機、１２…膨張弁、１３…蒸発器、１４…蒸発器温度センサ、１５…外気温センサ、２６…入水温度センサ、２０…第１給湯回路、５０…第１水熱交換器、９０…制御部。
【図１】
2010025494.tif 000003
【図２】
2010025494.tif 000004
【図３】
2010025494.tif 000005
【図４】
2010025494.tif 000006
【図５】
2010025494.tif 000007
【図６】
2010025494.tif 000008